(57)【特許請求の範囲】
【請求項１】
車両に搭載される車両用通信装置との間で通信回線を確立して前記車両用通信装置と連携して動作する携帯端末装置について、その携帯端末装置の識別情報を管理する情報管理システムであって、
前記携帯端末装置の識別情報を前記車両用通信装置が搭載された登録対象車両の識別情報に対応付けて登録する識別情報登録手段と、
前記識別情報登録手段によって前記識別情報が登録されている前記携帯端末装置に認証キーを付与する認証キー付与手段と、
前記認証キーを有する前記携帯端末装置には前記登録対象車両に搭載された前記車両用通信装置と連携して動作することを許可するとともに前記登録対象車両以外の車両に搭載された前記車両用通信装置とも連携して動作することを許可し、前記認証キーを有しない前記携帯端末装置には何れの車両に搭載された前記車両用通信装置とも連携して動作することを許可しない連携動作許可手段と、
を備えることを特徴とする情報管理システム。
【請求項２】
前記識別情報登録手段は、前記携帯端末装置の識別情報を前記登録対象車両の識別情報および前記携帯端末装置の所有者の識別情報に対応付けて登録し、
前記携帯端末装置は、前記車両用通信装置からの指示により外部のサーバと通信し、当該サーバから前記携帯端末装置の所有者に特化したサービスの提供を受けることを特徴とする請求項１に記載の情報管理システム。
【請求項３】
前記識別情報登録手段は、１台の前記登録対象車両の識別情報に対して複数の前記携帯端末装置の識別情報を登録することを特徴とする請求項１または２に記載の情報管理システム。
【請求項４】
前記認証キー付与手段は、前記携帯端末装置から前記認証キーの付与が要求されると、当該携帯端末装置に前記認証キーを付与することを特徴とする請求項１から３の何れか１項に記載の情報管理システム。
【請求項５】
車両に搭載される車両用通信装置との間で通信回線を確立して前記車両用通信装置と連携して動作する携帯端末装置について、その携帯端末装置の識別情報を管理する情報管理方法であって、
前記携帯端末装置の識別情報を前記車両用通信装置が搭載された登録対象車両の識別情報に対応付けて登録し、
前記識別情報が登録されている前記携帯端末装置に認証キーを付与し、
前記認証キーを有する前記携帯端末装置には前記登録対象車両に搭載された前記車両用通信装置と連携して動作することを許可するとともに前記登録対象車両以外の車両に搭載された前記車両用通信装置とも連携して動作することを許可し、前記認証キーを有しない前記携帯端末装置には何れの車両に搭載された前記車両用通信装置とも連携して動作することを許可しないことを特徴とする情報管理方法。
【請求項６】
前記携帯端末装置の識別情報を前記登録対象車両の識別情報および前記携帯端末装置の所有者の識別情報に対応付けて登録し、
前記携帯端末装置は、前記車両用通信装置からの指示により外部のサーバと通信し、当該サーバから前記携帯端末装置の所有者に特化したサービスの提供を受けることを特徴とする請求項５に記載の情報管理方法。
【請求項７】
１台の前記登録対象車両の識別情報に対して複数の前記携帯端末装置の識別情報を登録することを特徴とする請求項５または６に記載の情報管理方法。
【請求項８】
前記携帯端末装置から前記認証キーの付与が要求されると、当該携帯端末装置に前記認証キーを付与することを特徴とする請求項５から７の何れか１項に記載の情報管理方法。
【発明の詳細な説明】
【技術分野】
【０００１】
本発明は、携帯端末装置の識別情報を管理する情報管理システムおよび情報管理方法に関する。
【背景技術】
【０００２】
従来より、例えば携帯電話機などの携帯端末装置が通信可能に構成された情報センターにユーザ情報を登録しておき、各種サービスを提供する際に、その登録情報に基づいてユーザ認証を行うシステムが提供されている。例えば特許文献１に記載のシステムでは、ユーザ登録処理を完了したユーザにユーザＩＤを発行する。そして、そのユーザＩＤが車載機に入力されると、そのユーザＩＤが車載機から情報センターに送信され、情報センターにてユーザ認証が行われるように構成されている。
【先行技術文献】
【特許文献】
【０００３】
【特許文献１】特開２００４−２４８０４２号公報
【発明の概要】
【発明が解決しようとする課題】
【０００４】
上記のようなシステムでは、ユーザは、各種サービスの提供を受ける際に車載機にユーザＩＤを入力する必要があり、その入力操作が面倒である。また、上記のようなシステムでは、ユーザごとに１つの車載機と１つの携帯電話機とを対応付けて登録することが一般的であり、従って、登録したユーザ以外の人が各種サービスの提供を受けたい場合、例えば、登録ユーザの家族や友人が各種サービスを利用したい場合には、登録情報を書き換えるなどの煩雑な手続が必要となる。また、例えばレンタカーにおいて各種サービスを利用したい場合には、やはり、ユーザは、そのレンタカーの車載機にユーザＩＤを入力しなければならず、従って、個人情報の一種であるユーザＩＤが他人に流出してしまうおそれがある。このように、従来のシステムはユーザにとって使い勝手が悪いものであることから、さらなる改良が求められている。
【０００５】
本発明は、上記した事情に鑑みてなされたものであり、その目的は、ユーザにとって使い勝手の良い情報管理システムおよび情報管理方法を提供することにある。
【課題を解決するための手段】
【０００６】
請求項１に記載した発明は、車両に搭載される車両用通信装置との間で通信回線を確立して当該車両用通信装置と連携して動作する携帯端末装置について、その携帯端末装置の識別情報を管理する情報管理システムに係る発明であり、識別情報登録手段は、携帯端末装置の識別情報を車両用通信装置が搭載された登録対象車両の識別情報に対応付けて登録し、認証キー付与手段は、識別情報登録手段によって識別情報が登録されている携帯端末装置に認証キーを付与する。そして、連携動作許可手段は、認証キーを有する携帯端末装置には登録対象車両に搭載された車両用通信装置と連携して動作することを許可するとともに登録対象車両以外の車両に搭載された車両用通信装置とも連携して動作することを許可し、認証キーを有しない携帯端末装置には何れの車両に搭載された車両用通信装置とも連携して動作することを許可しないように構成されている。
【０００７】
即ち、車両に搭載される車両用通信装置と携帯端末装置との間で通信回線を確立してこれら車両用通信装置および携帯端末装置を相互に連携して動作させるという動作連携機能を実行可能とするサービス、即ち、動作連携サービスを提供する場合において、その携帯端末装置の識別情報、つまり、携帯端末識別情報を車両用通信装置が搭載された車両の識別情報、つまり、車両識別情報に対応付けて登録することにより、当該携帯端末装置に認証キーが付与されるようになる。そして、以降においては、携帯端末装置は、その認証キー、つまり、その識別情報が車両の識別情報とともに登録されることにより付与される認証キーを有している限り、何れの車両に搭載された車両用通信装置とも動作連携機能を実行可能とすることができる。
このように、携帯端末装置が認証キーを有していることを条件として、車両用通信装置および携帯端末装置を連携して動作させるという動作連携サービスの提供を受けることができるように構成した。従って、ユーザは、動作連携サービスの提供を受けるに際し、ユーザＩＤを入力したり登録情報を書き換えたりする必要がなく、これにより、ユーザにとって使い勝手の良い情報管理システムを実現することができる。
【０００８】
また、認証キーを有する携帯端末装置は、識別情報登録手段が当該携帯端末装置の識別情報に対応付けて識別情報を登録した登録対象車両とは異なる車両に搭載された車両用通信装置とも連携して動作可能である。即ち、携帯端末装置は、認証キーが一旦付与されると、その認証キーを有している限り、登録した車両とは異なる車両に搭載された車両用通信装置とも動作連携機能を実行可能とすることができる。従って、ユーザは、車両が代わるたびにユーザＩＤを入力したり登録情報を書き換えたりする必要がなく、これにより、ユーザにとって一層使い勝手の良い情報管理システムを実現することができる。
また、請求項５に記載した方法の発明によっても、請求項１に記載した発明と同様の効果を奏することができる。
【０００９】
請求項２に記載した発明によれば、識別情報登録手段は、携帯端末装置の識別情報を登録対象車両の識別情報に加えてさらに携帯端末装置の所有者の識別情報にも対応付けて登録し、携帯端末装置は、車両用通信装置からの指示により外部のサーバと通信し、当該サーバから携帯端末装置の所有者に特化したサービスの提供を受ける。このように、携帯端末装置の識別情報を登録対象車両の識別情報のみならず携帯端末装置の所有者の識別情報にも対応付けて登録することで、その携帯端末装置の所有者に特化したサービスの提供が可能となる。
また、請求項６に記載した方法の発明によっても、請求項２に記載した発明と同様の効果を奏することができる。
【００１０】
また、請求項３，７に記載した発明では、１台の登録対象車両の識別情報に対して複数の携帯端末装置の識別情報を登録することが可能である。これにより、例えば、車両の購入者の家族が所有する携帯端末装置の識別情報も１台の登録対象車両の識別情報に対応付けて登録することが可能となり、これら複数の携帯端末装置についても、認証キーを有している限り、何れの車両に搭載された車両用通信装置とも動作連携機能を実行可能とすることができる。
【００１１】
請求項４に記載した発明によれば、認証キー付与手段は、携帯端末装置から認証キーの付与が要求されると、当該携帯端末装置に認証キーを付与する。
即ち、認証キーは、携帯端末装置からの認証キーの付与の要求を待って付与されるようになる。従って、認証キーが必要な携帯端末装置のみに認証キーが付与され、一方、認証キーが不要な携帯端末装置には認証キーが付与されないようになり、認証キーが必要以上に流出してしまうことを防止することができる。
また。請求項８に記載した方法の発明によっても、請求項４に記載した発明と同様の効果を奏することができる。
【図面の簡単な説明】
【００１２】
【図１】本発明の一実施形態を示す機能ブロック図
【図２】携帯電話機および情報センターの動作内容を示すフローチャート
【図３】車両用通信装置の動作内容を示すフローチャート
【発明を実施するための形態】
【００１３】
以下、本発明の一実施形態について図面を参照しながら説明する。ここでは、車両用通信装置が搭載されている車両の車室内に、近距離無線通信機能としてＢｌｕｅｔｏｏｔｈ通信機能（Ｂｌｕｅｔｏｏｔｈ：登録商標、以下、ＢＴと称する）を有するＢＴ対応の携帯電話機（以下、単に携帯電話機と称する）が持ち込まれ、車両用通信装置と携帯電話機とがＢＴ通信可能、即ち、近距離無線通信可能な状態にあると判定した場合を説明する。なお、車両用通信装置も、当然に、ＢＴ通信機能を有するＢＴ対応の装置で構成されている。
情報管理システム１は、車両に搭載されている車両用通信装置２と、車両の車室内に持ち込まれた携帯電話機３と、この携帯電話機３との間で無線の通信回線を介して通信可能に構成された情報センター４とから構成される。携帯電話機３は、本発明でいう携帯端末装置に相当し、情報センター４は、本発明でいう外部のサーバに相当する。
【００１４】
車両用通信装置２は、制御部５と、ＢＴモジュール６と、ＵＳＢ（Universal Serial Bus）モジュール７と、記憶部８と、音声処理部９と、表示部１０と、操作入力部１１と、信号入力部１２などを備えて構成されている。制御部５と、ＵＳＢモジュール７と、記憶部８と、音声処理部９と、表示部１０と、操作入力部１１と、信号入力部１２とは、制御基板１３に物理的に実装されており、ＢＴモジュール６は、制御基板１３とは別部材であるＢＴモジュール基板１４に物理的に実装されている。制御部５とＢＴモジュール６とはＵＳＢインタフェースを有し、両者はＵＳＢ通信回線を通じて接続されている。
【００１５】
制御部５は、周知のマイクロコンピュータからなるＣＰＵ、ＲＡＭ、ＲＯＭ及びＩ／Ｏバスなどを有し、車両用通信装置２の通信動作やデータ管理動作などの動作全般を制御する。また、この制御部５は、ＣＰＵにおいて制御プログラムを実行することにより、連携動作許可処理部１５をソフトウェアによって仮想的に実現する。連携動作許可処理部１５は、本発明でいう連携動作許可手段に相当する。
この連携動作許可処理部１５は、後述する認証キーを有する携帯電話機３には、登録対象車両に搭載された車両用通信装置２と相互に連携して動作することを許可するとともに登録対象車両以外の車両に搭載された車両用通信装置とも連携して動作することを許可し、一方、認証キーを有しない携帯電話機３には、何れの車両に搭載された車両用通信装置とも相互に連携して動作することを不許可、つまり、許可しないとする処理を実行する。
【００１６】
ＢＴモジュール６は、後述する携帯電話機３のＢＴモジュールとの間で近距離通信回線であるＢＴ通信回線を通じてＢＴ通信を実行する機能を有し、ＢＴの通信規格で規定されている複数のプロファイルを同時接続可能に、いわゆるマルチ接続可能に構成されている。これら複数のプロファイルは機能毎に定義された通信プロトコルを意味している。この場合、プロファイルとしては、仮想シリアルポート化したデータ通信を規定するＳＰＰ（Serial Port Profile）、ハンズフリー通話を規定するＨＦＰ（Hands Free Profile）、電話帳データの転送を規定するＰＢＡＰ（Phone Book Access Profile）、同じく電話帳データの転送を規定するＯＰＰ（Object Push Profile）、音データの転送を規定するＡ２ＤＰ（Advanced Audio Distribution Profile）、音データの制御に係る制御データの転送を規定するＡＶＲＣＰ（Audio/Video Remote Control Profile）、インターネットへのダイヤルアップ接続を規定するＤＵＮ（Dial-up Networking Profile）、電子メールデータの転送を規定するＭＡＰ（Message Access Profile）などが規定されている。ＢＴモジュール６と後述する携帯電話機３のＢＴモジュールとは両者の間で各種データをＢＴ通信回線により転送可能である。
【００１７】
ＵＳＢモジュール７は、ＵＳＢ接続ケーブル１６の一方の接続端子１６ａを着脱可能な接続端子７ａを有し、ＵＳＢ接続ケーブル１６の一方の接続端子１６ａが接続端子７ａに接続され且つＵＳＢ接続ケーブル１６の他方の接続端子１６ｂが後述する携帯電話機３のＵＳＢモジュールの接続端子に接続されている状態で、近距離通信回線であるＵＳＢ通信回線を携帯電話機３のＵＳＢモジュールとの間で接続し、ＵＳＢ通信回線によりＵＳＢ通信を実行する。ＵＳＢモジュール７と後述する携帯電話機３のＵＳＢモジュールとは両者の間で各種データをＵＳＢ通信回線により転送可能である。
記憶部８は、例えばハードディスクドライブなどの不揮発性の記憶媒体からなり、各種データを記憶する記憶領域を有して構成されている。また、この記憶部８には、連携動作機能を実現する連携アプリケーションが記憶されている。
【００１８】
音声処理部９には車室内にあって例えばハンドルの近傍などのユーザが発した音声を集音し易い部位に配置されているマイクロホン１７が接続されていると共に、車両用通信装置２の外部に配置されているオーディオアンプ１８が接続されており、オーディオアンプ１８にはスピーカ１９ａ，１９ｂが接続されている。
音声処理部９は、ＢＴモジュール６と後述する携帯電話機３のＢＴモジュールとの間でＢＴ通信回線が接続されている状態では、ユーザが発した音声をマイクロホン１７から送話音声データとして入力すると、その入力した送話音声データを音声処理してＢＴモジュール６へ出力し、ＢＴモジュール６から受話音声データを入力すると、その入力した受話音声データをオーディオアンプ１８へ出力する。
【００１９】
オーディオアンプ１８は、音声処理部９から受話音声データや音データを入力すると、その入力した受話音声データや音データを増幅してスピーカ１９ａ，１９ｂから出力させる。また、オーディオアンプ１８にはチューナーデッキ２０も接続されており、オーディオアンプ１８はチューナーデッキ２０が例えば音楽用記録媒体から再生した楽曲音やラジオ放送局から受信したラジオ番組を当該チューナーデッキ２０から入力すると、その入力した楽曲音やラジオ番組を増幅してスピーカ１９ａ，１９ｂから出力させる。
表示部１０は、例えばディスプレイ装置などの表示装置から構成されており、制御部５から表示指令信号を入力すると、その入力した表示指令信号に基づいて各種表示画面を表示する。
【００２０】
操作入力部１１は、ユーザが操作可能な各種キーや表示部１０の表示画面上に形成されるタッチスイッチなどの操作装置を備えて構成されており、ユーザがキーやタッチスイッチを操作したことに応じて操作検出信号を制御部５へ出力し、制御部５は、操作入力部１１から入力した操作検出信号を解析してユーザの操作を特定する。
信号入力部１２は、車両に搭載されているＡＣＣ（アクセサリ）スイッチに接続されており、ＡＣＣスイッチから出力されたＡＣＣ信号を入力すると、その入力したＡＣＣ信号を制御部５へ出力する。制御部５は、信号入力部１２から入力したＡＣＣ信号のオンオフに基づいて装置電源をオンオフする。即ち、制御部５は、ＡＣＣ信号がオフからオンに遷移したタイミングで装置電源をオンし、つまり、車両用通信装置２を起動し、ＡＣＣ信号がオンからオフに遷移したタイミングで装置電源をオフ、つまり、車両用通信装置２を停止する。
【００２１】
次に、携帯電話機３の構成について説明する。携帯電話機３は、制御部２２と、電話通信部２３ａと、情報通信部２３ｂと、ＢＴモジュール２４と、ＵＳＢモジュール２５と、操作入力部２６と、記憶部２７と、表示部２８と、マイクロホン２９と、スピーカ３０と、電力供給部３１などを備えて構成されている。
制御部２２は、周知のマイクロコンピュータからなるＣＰＵ、ＲＡＭ、ＲＯＭ及びＩ／Ｏバスなどを有し、携帯電話機３の通信動作やデータ管理動作などの動作全般を制御する。電話通信部２３ａは、電話通信網３３との間で電話通信を実行する。なお、電話通信網３３は携帯電話基地局や基地局制御装置などの周知の携帯電話通信サービスを提供する設備を含むものである。情報通信部２３ｂは、例えば広域通信網を介して外部の情報センター４との間で各種の情報通信を実行する。
【００２２】
ＢＴモジュール２４は、前述した車両用通信装置２のＢＴモジュール６との間でＢＴ通信回線を通じてＢＴ通信を実行する機能を有し、ＢＴの通信規格で規定されている複数のプロファイルを同時接続可能に構成されている。
ＵＳＢモジュール２５は、ＵＳＢ接続ケーブル１６の他方の接続端子１６ｂを着脱可能な接続端子２５ａを有し、ＵＳＢ接続ケーブル１６の一方の接続端子１６ａが車両用通信装置２のＵＳＢモジュール７の接続端子７ａに接続され且つＵＳＢ接続ケーブル１６の他方の接続端子１６ｂが接続端子２５ａに接続されている状態で、ＵＳＢ通信回線を車両用通信装置２のＵＳＢモジュール７との間で接続し、ＵＳＢ通信回線によりＵＳＢ通信を実行する。
【００２３】
操作入力部２６は、ユーザが操作可能な各種キーや表示部２８の表示画面上に形成されるタッチスイッチなどの操作装置を備えて構成されており、ユーザがキーやタッチスイッチを操作したことに応じて操作検出信号を制御部２２へ出力し、制御部２２は、操作入力部２６から入力した操作検出信号を解析してユーザの操作を特定する。
記憶部２７は、例えばハードディスクドライブなどの不揮発性の記憶媒体からなり、後述するようにして情報センター４から配信、つまり、付与された認証キーなど各種データを記憶する記憶領域を有して構成されている。また、この記憶部２７には、連携動作機能を実現する連携アプリケーションが記憶されている。
【００２４】
表示部２８は、例えばディスプレイ装置などの表示装置から構成されており、制御部２２から表示指令信号を入力すると、その入力した表示指令信号に基づいて各種表示画面を表示する。
マイクロホン２９は、ユーザが発した音声を送話音声として入力し、スピーカ３０は、通話相手から電話通信部２３ａにより受信した音声を受話音声として出力する。電力供給部３１は、本体に対して着脱可能な図示しないバッテリから放電される電力を動作電力として各機能ブロックへ供給する。
【００２５】
車両用通信装置２の通信相手装置である携帯電話機３は、上記したようにＵＳＢ通信回線がＵＳＢモジュール７とＵＳＢモジュール２５との間で接続され且つＢＴ通信回線がＢＴモジュール６とＢＴモジュール２４との間で接続されている状態では各種データを車両用通信装置２へ送信するリソースとしてＵＳＢ通信回線とＢＴ通信回線との複数を有することになる。携帯電話機３は、このように各種データを車両用通信装置２へ送信するリソースとしてＵＳＢ通信回線とＢＴ通信回線との複数を有する場合には、各種データの出力開始要求を示す出力開始要求コマンドを車両用通信装置２から受信することで、各種データをＵＳＢ通信回線及びＢＴ通信回線のうち何れかのリソースにより車両用通信装置２へ送信する。
【００２６】
また、車両用通信装置２および携帯電話機３は、通信回線を介して相互に接続された状態では、それぞれにインストールされた連携アプリケーションを起動することによって相互に連携して動作する機能、即ち、連携動作機能を実現するようになっており、これにより、例えば、車両用通信装置２で実行されるアプリケーションを携帯電話機３で操作したり、逆に、携帯電話機３で実行されるアプリケーションを車両用通信装置２で操作したりすること、車両用通信装置２で実行しているアプリケーションを携帯電話機３の表示部２８やスピーカ３０を介して出力したり、逆に、携帯電話機３で実行しているアプリケーションを車両用通信装置２のディスプレイ装置１９やスピーカ１９ａ，１９ｂを介して出力したりすることなどが可能となっている。
【００２７】
次に、情報センター４の構成について説明する。情報センター４は、制御部４１と、情報通信部４２と、記憶部４３などを備えて構成されている。
制御部４１は、周知のマイクロコンピュータからなるＣＰＵ、ＲＡＭ、ＲＯＭ及びＩ／Ｏバスなどを有し、情報センター４の通信動作やデータ管理動作などの動作全般を制御する。また、この制御部４１は、ＣＰＵにおいて制御プログラムを実行することにより、識別情報登録処理部４４、認証キー付与処理部４５をソフトウェアによって仮想的に実現する。識別情報登録処理部４４は、本発明でいう識別情報登録手段に相当し、認証キー付与処理部４５は、本発明でいう認証キー付与手段に相当する。
【００２８】
情報通信部４２は、例えば広域通信網を介して情報通信部２３ｂを有する各携帯電話機３との間で各種の情報通信を実行する。
記憶部４３は、例えばハードディスクドライブなどの不揮発性の記憶媒体からなり、各種データを記憶する記憶領域を有して構成されている。制御部４１は、この記憶部４３に、各種の情報を最新の状態で格納するようになっており、各携帯電話機３は、この情報センター４から情報通信部２３ｂを介して種々の情報をダウンロードして獲得することが可能である。この場合、携帯電話機３が情報センター４から獲得するデータには、所定の条件を満たした携帯電話機３のみに配信される認証キー、各種のアプリケーションデータ、各種のコンテンツデータなどが含まれる。
【００２９】
識別情報登録処理部４４は、識別情報登録処理、つまり、携帯電話機３の識別情報である携帯端末識別情報を、車両用通信装置２が搭載された登録対象車両の識別情報である車両識別情報、および、携帯電話機３の所有者を識別する情報である携帯ユーザＩＤに対応付けて登録する処理を実行する。この場合、識別情報登録処理部４４は、例えば自動車販売店の従業員や車両の購入者などがパソコンなどの情報通信装置を介して情報センター４に識別情報登録処理の要求、つまり、識別情報登録処理の申請を実行したことに応じて、この識別情報登録処理を実行するようになっている。
【００３０】
即ち、例えば車両用通信装置２を搭載した車両の購入時などに、自動車販売店の従業員や車両の購入者は、その車両、つまり、購入車両である登録対象車両の識別情報と、当該車両に搭載された車両用通信装置２と相互に連携して動作させたい携帯電話機３、例えば、その車両の購入者が所有する携帯電話機３の識別情報と、携帯電話機３の所有者の識別情報である携帯ユーザＩＤとを、パソコンなどの情報通信装置に入力して識別情報登録処理を要求する。この要求に応じて、情報センター４の制御部４１は、識別情報登録処理部４４によって、その携帯電話機３の識別情報、つまり、携帯端末識別情報と、その携帯電話機３の所有者の識別情報、つまり、携帯ユーザＩＤとを、購入車両である登録対象車両に搭載された車両用通信装置２の識別情報ではなく、その購入車両自体の識別情報、つまり、登録対象車両の車両識別情報に対応付けて記憶部４３に登録する。
【００３１】
なお、この場合、車両の識別情報は、その車両の製造時や工場出荷時などにその車両に対して設定される情報であり、例えば、製造番号、シリアル番号、識別符号、任意に選択された文字列などからなる。自動車販売店の従業員や車両の購入者は、例えば、車両の仕様書、取扱説明書、契約書などの記載内容、車体に貼付された識別ラベルの記載内容などに基づいて、その車両に設定された識別情報、つまり、車両識別情報を把握する。また、例えばナビゲーション装置などの車載装置に識別情報、つまり、車両識別情報を表示可能に記憶しておいてもよい。
【００３２】
また、携帯電話機３の識別情報は、その携帯電話機３の製造時、工場出荷時、販売契約時などにその携帯電話機３に対して設定される情報であり、例えば、製造番号、シリアル番号、電話番号、識別符号、任意に選択された文字列などからなる。自動車販売店の従業員や車両の購入者は、例えば、携帯電話機３の仕様書、取扱説明書、契約書などの記載内容、携帯電話機３に貼付された識別ラベルの記載内容などに基づいて、その携帯電話機３に設定された識別情報、つまり、携帯端末識別情報を把握する。
【００３３】
また、携帯ユーザＩＤは、例えば携帯電話機３の購入時などに当該携帯電話機３を購入した者に対して発行するなど、携帯電話機３の所有者を特定する情報として種々の方法によって設定される情報である。
また、この場合、１台の車両に対応付けて複数、例えば５台の携帯電話機３の識別情報を登録することが可能であり、従って、例えば、車両の購入者の家族が所有する携帯電話機３の識別情報も１台の購入車両の識別情報に対応付けて記憶部４３に登録することが可能である。
【００３４】
認証キー付与処理部４５は、識別情報登録処理部４４による識別情報登録処理によって携帯端末識別情報が記憶部４３に登録された携帯電話機３に対して、認証キーを付与する処理を実行する。この場合、制御部４１は、携帯電話機３から認証キーの付与が要求されると、その携帯電話機３の携帯端末識別情報が記憶部４３に登録されているか否かを検索する。そして、制御部４１は、その検索処理の結果、識別情報が登録されている場合には、認証キー付与処理部４５によって、その携帯電話機３に認証キーの配信を実行し、識別情報が登録されていない場合には、認証キーの配信を実行しないように構成されている。
なお、携帯電話機３からの認証キーの付与の要求は、例えば、ユーザによる操作入力部２６の操作に応じて実行するように構成してもよしい、所定の条件をトリガとして自動的に実行するように構成してもよい。この所定の条件としては、例えば、携帯電話機３の識別情報が登録されてから所定時間を経過したこと、携帯電話機３の識別情報を登録してから初めて購入車両の電源系統がオンされたことなどを設定することができる。
【００３５】
次に、上記した構成の動作内容について図２および図３を参照して説明する。
まず、情報センター４が携帯電話機３に対して認証キーを付与する場合の動作内容について図２に示すフローチャートを参照しながら説明する。
即ち、携帯電話機３の制御部２２は、情報センター４に対して、認証キーの付与を要求する（ステップＡ１）。このとき、制御部２２は、認証キーの付与の要求とともに当該携帯電話機３の識別情報を情報センター４に通知する。一方、情報センター４の制御部４１は、携帯電話機３から認証キーの付与の要求を受けたか否かを監視しており（ステップＢ１）、携帯電話機３から認証キーの付与の要求を受けると（ステップＢ１：ＹＥＳ）、携帯電話機３から通知された識別情報、つまり、認証キーの付与を要求した携帯電話機３の識別情報が登録されているか否かを判断する（ステップＢ２）。
【００３６】
そして、認証キーの付与を要求した携帯電話機３の識別情報が登録されている場合（ステップＢ２：ＹＥＳ）には、制御部４１は、その携帯電話機３に対して認証キーを配信、即ち、付与して（ステップＢ３）、この処理を終了する。一方、認証キーの付与を要求した携帯電話機３の識別情報が登録されていない場合（ステップＢ２：ＮＯ）には、制御部４１は、認証キーを配信することなく、この処理を終了する。
情報センター４から認証キーが付与された携帯電話機３の制御部２２は、その認証キーを記憶部２７に記憶して保持し（ステップＡ２）、この処理を終了する。
【００３７】
次に、車両用通信装置２が携帯電話機３に対して相互に連携して動作することを許可あるいは不許可とする場合の動作内容について図３に示すフローチャートを参照しながら説明する。なお、携帯電話機３の制御部２２は、当該携帯電話機３にインストールされた連携アプリケーションを、少なくとも後述するステップＣ３の処理が実行されるよりも前の段階で起動しているものとする。ステップＣ３の処理が実行されるよりも前の段階としては、例えば、携帯電話機３が車両用通信装置２に通信可能に接続された段階を設定することができる。
車両用通信装置２の制御部５は、当該車両用通信装置２に携帯電話機３が通信可能に接続されたか否かを監視している（ステップＣ１）。そして、携帯電話機３が車両用通信装置２に通信可能に接続されると、つまり、車両用通信装置２と携帯電話機３との間にＢＴ通信回線あるいはＵＳＢ通信回線が確立されると（ステップＣ１：ＹＥＳ）、制御部５は、その接続された携帯電話機３が認証キーを有しているか否かを判断する（ステップＣ２）。
【００３８】
車両用通信装置２に接続された携帯電話機３が認証キーを有しているか否かの判断は、例えば、以下に示す処理によって実現することができる。即ち、認証キーを有する携帯電話機３の制御部２２は、当該認証キーを有していることを示す情報である認証キー保有情報、あるいは、当該認証キー自体を車両用通信装置２に送信する。そして、車両用通信装置２の制御部５は、接続された携帯電話機３から認証キー保有情報あるいは認証キー自体を受信した場合には、接続された携帯電話機３が認証キーを有していると判断し、受信しない場合には、接続された携帯電話機３が認証キーを有していないと判断する。また、車両用通信装置２の制御部５は、接続された携帯電話機３の記憶部２７を通信回線を介して参照し、この記憶部２７に認証キーが記憶されているか否かを検索することで、その携帯電話機３が認証キーを有しているか否かを判断することも可能である。
【００３９】
接続された携帯電話機３が認証キーを有している場合（ステップＣ２：ＹＥＳ）には、制御部５は、その携帯電話機３が車両用通信装置２と相互に連携して動作することを許可すべく、当該車両用通信装置２にインストールされている連携アプリケーションを起動して（ステップＣ３）、車両用通信装置２および携帯電話機３を相互に連携して動作する状態、つまり、連携動作可能状態とし、この処理を終了する。
【００４０】
この状態で、ユーザが、車両用通信装置２に記憶されている連携アプリケーションを操作すると、携帯電話機３に記憶されている連携アプリケーションが連携して動作するようになる。そして、携帯電話機３は、車両用通信装置２からの指示により情報センター４と通信し、情報センター４から、そのユーザに特化した各種サービスの提供を受ける。つまり、情報センター４は、携帯電話機３の識別情報とともに当該携帯電話機３の所有者を識別する携帯ユーザＩＤも管理しているため、携帯電話機３との通信により、その携帯電話機３の所有者を特定することが可能である。従って、情報センター４の内部、もしくは、外部に設けられた図示しないコンテンツサーバから、そのユーザに特化した音楽や音声、ラジオ番組を提供したり、そのユーザの名前でレストランなどの施設やチケットの予約を行ったりすることができる。
【００４１】
一方、接続された携帯電話機３が認証キーを有していない場合（ステップＣ２：ＮＯ）には、制御部５は、連携アプリケーションを起動することなく、この処理を終了する。従って、この場合、車両用通信装置２および携帯電話機３は、相互に連携して動作することができない状態、つまり、連携動作不能状態となる。
なお、情報センター４から配信された認証キーを有する携帯電話機３は、その識別情報、つまり、携帯端末識別情報に対応付けて車両識別情報が登録された車両、つまり、登録対象車両とは異なる車両に搭載された車両用通信装置との間においても、通信回線を確立して当該車両用通信装置と連携して動作可能である。即ち、例えば購入車両、つまり、登録対象車両とは異なるレンタカーや社有車などに搭載された車両用通信装置は、携帯電話機３が通信可能に接続されると、その携帯電話機３が認証キーを有しているか否かを判定する。そして、その携帯電話機３が認証キーを有している場合には、連携アプリケーションを起動することによって車両用通信装置と携帯電話機３とを連携動作可能状態とし、一方、その携帯電話機３が認証キーを有していない場合には、連携アプリケーションを起動せず車両用通信装置と携帯電話機３とを連携動作不能状態とする。
【００４２】
以上に説明したように本実施形態によれば、車両に搭載される車両用通信装置２との間で通信回線を確立して当該車両用通信装置２と相互に連携して動作する携帯電話機３について、その携帯電話機３の識別情報を管理する情報管理システム１において、情報センター４の制御部４１は、識別情報登録処理部４４によって、携帯電話機３の識別情報、つまり、携帯端末識別情報を車両用通信装置２が搭載された登録対象車両の識別情報に対応付けて登録し、携帯端末識別情報が登録されている携帯電話機３にのみ、認証キー付与処理部４５によって認証キーを付与する。そして、車両用通信装置２の制御部５は、連携動作許可処理部１５によって、認証キーを有する携帯電話機３には、登録対象車両に搭載された車両用通信装置２と相互に連携して動作することを許可して連携アプリケーションを起動し、あるいは、登録対象車両以外の車両に搭載された車両用通信装置と相互に連携して動作することを許可して連携アプリケーションを起動する。一方、車両用通信装置２の制御部５は、連携動作許可処理部１５によって、認証キーを有しない携帯電話機３には、何れの車両に搭載された車両用通信装置とも連携して動作することを不許可として連携アプリケーションを起動しないように構成されている。
【００４３】
即ち、車両に搭載される車両用通信装置２と携帯電話機３との間で通信回線を確立してこれら車両用通信装置２および携帯電話機３を相互に連携して動作させるという動作連携機能を実行可能とするサービス、つまり、動作連携サービスを提供する場合において、その携帯電話機３の識別情報、つまり、携帯端末識別情報を車両用通信装置２の識別情報ではなく当該車両用通信装置２が搭載された車両の識別情報、つまり、車両識別情報に対応付けて登録することにより、当該携帯電話機３に認証キーが付与されるようになる。そして、以降においては、つまり、認証キーの付与後においては、携帯電話機３は、その認証キー、つまり、その識別情報が車両の識別情報とともに登録されることにより付与される認証キーを有している限り、何れの車両に搭載された車両用通信装置とも動作連携機能を実行可能とすることができる。
このように、携帯電話機３が認証キーを有していることを条件として、車両用通信装置２および携帯電話機３を相互に連携して動作させるという動作連携サービスの提供を受けることができるように構成した。従って、ユーザは、動作連携サービスの提供を受けるに際し、ユーザＩＤを入力したり登録情報を書き換えたりする必要がなく、これにより、ユーザにとって使い勝手の良い情報管理システムを実現することができる。
【００４４】
また、本実施形態によれば、認証キーを有する携帯電話機３は、識別情報登録処理部４４によって当該携帯電話機３の識別情報に対応付けて識別情報を登録した登録対象車両とは異なる車両、例えば、レンタカーや社有車などに搭載された車両用通信装置とも連携して動作可能である。即ち、携帯電話機３は、認証キーが一旦付与されると、その認証キーを有している限り、登録した車両とは異なる車両に搭載された車両用通信装置とも動作連携機能を実行可能とすることができる。従って、ユーザは、車両が代わるたびにユーザＩＤを入力したり登録情報を書き換えたりする必要がなく、これにより、ユーザにとって一層使い勝手の良い情報管理システムを実現することができる。
【００４５】
また、本実施形態によれば、情報センター４の制御部４１は、識別情報登録処理部４４によって、携帯電話機３の識別情報を登録対象車両の識別情報に加えてさらに携帯電話機３の所有者の識別情報にも対応付けて登録する。そして、携帯電話機３の制御部２２は、当該携帯電話機３と相互に通信可能に接続された車両用通信装置からの指示に応じて情報センター４と通信し、当該情報センター４から携帯電話機３の所有者に特化したサービスの提供を受ける。このように、携帯電話機３の識別情報を登録対象車両の識別情報のみならず携帯電話機３の所有者の識別情報にも対応付けて登録することで、その携帯電話機３の所有者に特化したサービスの提供が可能となる。
【００４６】
また、本実施形態では、１台の登録対象車両の識別情報に対して複数の携帯電話機３の識別情報を登録することが可能である。これにより、例えば、車両の購入者の家族が所有する携帯電話機３の識別情報も１台の登録対象車両の識別情報に対応付けて登録することが可能となり、これら複数の携帯電話機３についても、認証キーを有している限り、何れの車両に搭載された車両用通信装置とも動作連携機能を実行可能とすることができる。
【００４７】
また、本実施形態によれば、情報センター４の制御部４１は、携帯電話機３から認証キーの付与が要求されると、認証キー付与処理部４５によって当該携帯電話機３に認証キーを付与する。
即ち、認証キーは、携帯電話機３からの認証キーの付与の要求を待って付与されるようになる。従って、認証キーが必要な携帯電話機３、つまり、認証キーの付与を要求した携帯電話機３のみに認証キーが付与され、一方、認証キーが不要な携帯電話機３、つまり、認証キーの付与を要求していない携帯電話機３には認証キーが付与されないようになり、認証キーが必要以上に流出してしまうことを防止することができる。
【００４８】
なお、本発明は、上述した一実施形態のみに限定されるものではなく、その要旨を逸脱しない範囲で種々の実施形態に適用可能であり、例えば、以下のように変形または拡張することができる。
携帯電話機３が認証キーを有しているか否かの判断、つまり、ステップＣ２の判断は、車両用通信装置２の制御部５が行うのではなく、例えば、情報センター４の制御部４１が行うように構成してもよい。このような構成は、例えば、以下に示す処理によって実現することができる。即ち、認証キーを有する携帯電話機３の制御部２２は、例えば、車両用通信装置２に通信可能に接続されたことをトリガとして、認証キー保有情報あるいは認証キー自体を情報センター４に送信する。そして、情報センター４の制御部４１は、車両用通信装置２に接続された携帯電話機３から認証キー保有情報あるいは認証キー自体を受信した場合には、その携帯電話機３が認証キーを有していると判断し、受信しない場合には、その携帯電話機３が認証キーを有していないと判断する。そして、情報センター４の制御部４１は、携帯電話機３が認証キーを有していると判断した場合には、当該携帯電話機３が接続されている車両用通信装置２に対し、現在接続中の携帯電話機３が認証キーを有していることを確認したことを示す情報を認証キー保有確認情報として送信する。車両用通信装置２の制御部５は、情報センター４から認証キー保有確認情報を受信した場合には、その携帯電話機３、つまり、現在接続中の携帯電話機３が認証キーを有していると判断し、受信しない場合には、その携帯電話機３が認証キーを有していないと判断する。
【００４９】
携帯端末装置は、携帯電話機３に限られるものではなく、種々の携帯型の通信端末を採用することができる。
車両用通信装置２は、車両に組み込まれる車載装置のほか、例えば車両に着脱可能な携帯型の無線装置などで構成することができる。
本実施形態でいう近距離通信とは、一般的な車両の車室内をカバーする程度の距離を主として想定しているが、例えば、車両のタイプや大きさ、車両用通信装置２の通信性能、携帯電話機３の通信性能など種々の要因に応じて、その距離範囲を適宜変更して実施することができ、その距離範囲に適した通信機能を採用することができる。
【符号の説明】
【００５０】
図面中、１は情報管理システム、２は車両用通信装置、３は携帯電話機（携帯端末装置）、４は情報センター（外部のサーバ）、１５は連携動作許可処理部（連携動作許可手段）、４４は識別情報登録処理部（識別情報登録手段）、４５は認証キー付与処理部（認証キー付与手段）を示す。
【図１】
0005327284.tif 000002
【図２】
0005327284.tif 000003
【図３】
0005327284.tif 000004